【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
光学的にズームを行うために光軸方向に移動可能な第１のレンズ群と第２のレンズ群を有する光学機器において、
上記第１のレンズ群を第１のアクチュエータによって移動する第１の駆動部と、
上記第１の駆動部の第１のアクチュエータと異なる第２のアクチュエータによって上記第２のレンズ群を移動する第２の駆動部と、
上記光学機器のズーム動作を行う焦点距離領域範囲内に含まれる同一の焦点距離に対応する第１のレンズ群の位置と上記第２のレンズ群の位置に関する第１の位置情報と、所定の光学状態の撮影倍率よりも高い撮影倍率の光学状態を成立させ、上記焦点距離領域内に含まれる異なる焦点距離に対応する上記第１のレンズ群の位置と第２のレンズ群の位置に関する第２の位置情報を記憶する記憶部と、
上記第１の位置情報に基づき上記第１のレンズ群と第２のレンズ群の位置を同一の焦点距離に対応する位置に位置させた光学状態から上記第２位置情報に基づくより高い撮影倍率の光学状態とする場合に、上記第２の位置情報に基づいて上記第１のレンズ群と第２のレンズ群をそれぞれ異なる焦点距離に対応する位置へ移動するように上記第１の駆動部と上記第２の駆動部を制御する制御部と、
を具備することを特徴とする光学機器。
【請求項２】
上記第２の位置情報に含まれる上記第１のレンズ群の位置と第２のレンズ群の位置に上記第１のレンズ群と第２のレンズ群を位置させることにより成立する光学状態の焦点距離は、上記第１の位置情報に含まれる所定の第１のレンズ群の位置と第２のレンズ群の位置に上記第１のレンズ群と第２のレンズ群を位置させることにより成立する光学状態の焦点距離と略同一であることを特徴とする請求項１に記載の光学機器。
【請求項３】
さらに、焦点調節レンズ群を有し、
上記制御部は、上記第１の位置情報に基づく光学状態から上記第２位置情報に基づく撮影倍率がより高い光学状態とする場合に、上記焦点調節レンズ群を、上記より撮影倍率が高い光学状態にて焦点調整可能な距離の範囲に含まれる距離に対応する位置に制御することを特徴とする請求項１に記載の光学機器。
【請求項４】
上記第２の位置情報は、複数の異なる撮影倍率の光学状態に対応する第１のレンズ群の位置と第２のレンズ群の位置に関する複数の情報を含んでいることを特徴とする請求項１に記載の光学機器。
【請求項５】
さらに上記複数の異なる撮影倍率の光学状態から特定の光学状態を選択する選択部を有し、
上記制御部は、上記選択部の選択する光学状態に応じて、第２の位置情報に基づき上記第１のレンズ駆動部と第２のレンズ駆動部を制御し、選択された光学状態に対応する第１のレンズ群の位置と第２のレンズ群の位置を制御する
ことを特徴とする請求項４に記載の光学機器。
【請求項６】
光学的にズームを行うために光軸方向に移動可能な第１のレンズ群と第２のレンズ群を有する光学機器において、
上記第１のレンズ群を第１のアクチュエータによって移動する第１の駆動部と、
上記第１の駆動部の第１のアクチュエータと異なる第２のアクチュエータによって上記第２のレンズ群を移動する第２の駆動部と、
上記光学機器のズーム動作を行う焦点距離領域範囲内に含まれる同一の焦点距離に対応する第１のレンズ群の位置と上記第２のレンズ群の位置に関する第１の位置情報と、上記第１の位置情報に含まれる上記第１のレンズ群の位置と第２のレンズ群の位置に上記第１のレンズ群と第２のレンズ群を位置させることにより成立する所定の光学状態の焦点距離と略同一であって、上記所定の光学状態の焦点調節可能な距離よりもより近距離までの焦点調節可能な光学状態を成立させ、上記焦点距離領域内に含まれる異なる焦点距離に対応する上記第１のレンズ群の位置と第２のレンズ群の位置に関する第２の位置情報を記憶する記憶部と、
上記第１の位置情報に基づき上記第１のレンズ群と第２のレンズ群の位置を同一の焦点距離に対応する位置に位置させた光学状態から上記第２位置情報に基づくより近距離まで焦点調節可能な光学状態とする場合に、上記第２の位置情報に基づいて上記第１のレンズ群と第２のレンズ群をそれぞれ異なる焦点距離に対応する位置へ移動するように上記第１の駆動部と上記第２の駆動部を制御する制御部と、
を具備することを特徴とする光学機器。
【請求項７】
さらに、焦点調節レンズ群を有し、
上記制御部は、上記第１の位置情報に基づく光学状態から上記第２位置情報に基づくより近距離まで焦点調節が可能な光学状態とする場合に、上記焦点調節レンズ群を、上記より近距離まで焦点調節が可能な光学状態にて焦点調整可能な距離の範囲に含まれる距離に対応する位置に制御することを特徴とする請求項６に記載の光学機器。
【請求項８】
上記第２の位置情報は、複数の異なる撮影倍率の光学状態に対応する第１のレンズ群の位置と第２のレンズ群の位置に関する複数の情報を含んでいることを特徴とする請求項６に記載の光学機器。
【請求項９】
さらに上記複数の異なる撮影倍率の光学状態から特定の光学状態を選択する選択部を有し、
上記制御部は、上記選択部の選択する光学状態に応じて、第２の位置情報に基づき上記第１のレンズ駆動部と第２のレンズ駆動部を制御し、選択された光学状態に対応する第１のレンズ群の位置と第２のレンズ群の位置を制御する
ことを特徴とする請求項８に記載の光学機器。
【請求項１０】
光学的にズームを行うために光軸方向に移動可能な第１のレンズ群と第２のレンズ群を有する光学機器において、
上記第１のレンズ群を第１のアクチュエータによって移動する第１の駆動部と、
上記第１の駆動部の第１のアクチュエータと異なる第２のアクチュエータによって上記第２のレンズ群を移動する第２の駆動部と、
上記光学機器のズーム動作を行う焦点距離領域範囲内に含まれる同一の焦点距離に対応する第１のレンズ群の位置と上記第２のレンズ群の位置に関する第１の位置情報と、上記第１の位置情報に含まれる上記第１のレンズ群の位置と第２のレンズ群の位置に上記第１のレンズ群と第２のレンズ群を位置させることにより成立する所定の光学状態の焦点距離と略同一であって、上記所定の光学状態の撮影倍率よりも高い撮影倍率の光学状態を成立させ、上記焦点距離領域内に含まれるそれぞれ異なる焦点距離に対応する上記第１のレンズ群の位置と第２のレンズ群の位置に関する第２の位置情報を記憶する記憶部と、
上記第２の位置情報に基づく撮影倍率がより高い光学状態から、上記第１の位置情報に基づく光学状態とする場合に、第１の位置情報に基づいて上記より撮影倍率の大きな光学状態と同一の画角を成す同一の焦点距離に対応する位置へ上記第１のレンズ群と第２のレンズ群を移動するように上記第１の駆動部と上記第２の駆動部を制御する制御部と、
を具備することを特徴とする光学機器。
【請求項１１】
さらに、焦点調節レンズ群を有し、
上記制御部は、上記第１の位置情報に基づく光学状態から上記第２位置情報に基づく撮影倍率がより高い光学状態とする場合に、上記焦点調節レンズ群を、上記より撮影倍率が高い光学状態にて焦点調整可能な距離の範囲に含まれる距離に対応する位置に制御することを特徴とする請求項１０に記載の光学機器。
【請求項１２】
光学的にズームを行うために光軸方向に移動可能な第１のレンズ群と第２のレンズ群を有する光学機器において、
上記第１のレンズ群を第１のアクチュエータによって移動する第１の駆動部と、
上記第１の駆動部の第１のアクチュエータと異なる第２のアクチュエータによって上記第２のレンズ群を移動する第２の駆動部と、
上記光学機器のズーム動作を行う焦点距離領域範囲内に含まれる同一の焦点距離に対応する第１のレンズ群の位置と上記第２のレンズ群の位置に関する第１の位置情報と、上記第１の位置情報に含まれる上記第１のレンズ群の位置と第２のレンズ群の位置に上記第１のレンズ群と第２のレンズ群を位置させることにより成立する所定の光学状態の焦点距離と略同一であって、上記所定の光学状態の焦点調節可能な距離よりもより近距離までの焦点調節可能な光学状態を成立させ、上記焦点距離領域内に含まれる異なる焦点距離に対応する上記第１のレンズ群の位置と第２のレンズ群の位置に関する第２の位置情報を記憶する記憶部と、
上記第２の位置情報に基づく焦点調節可能な距離がより近距離である光学状態から、上記第１の位置情報に基づく光学状態とする場合に、上記第１の位置情報に基づいて上記焦点調節可能な距離がより近距離である光学状態と同一の画角を成す上記焦点距離範囲内の同一の焦点距離に対応する位置へ上記第１のレンズ群と第２のレンズ群を移動するように上記第１の駆動部と上記第２の駆動部を制御する制御部と、
を具備することを特徴とする光学機器。
【請求項１３】
さらに、焦点調節レンズ群を有し、
上記制御部は、上記第２の位置情報に基づくより近距離まで焦点調節可能な光学状態から上記第１位置情報に基づく光学状態とする場合に、上記焦点調節レンズ群を、上記焦点調節可能な距離がより近い光学状態における焦点調整可能な距離の範囲に含まれる距離に対応する位置に制御することを特徴とする請求項１２に記載の光学機器。
【手続補正２】
【補正対象書類名】明細書
【補正対象項目名】発明の名称
【補正方法】変更
【補正の内容】
【発明の名称】光学機器
【手続補正３】
【補正対象書類名】明細書
【補正対象項目名】０００１
【補正方法】変更
【補正の内容】
【０００１】
本発明は、撮影光学系の焦点距離を変化させるズーム機能を有し、複数のズームレンズ群を独立に移動させることが可能な光学機器に関する。
【手続補正４】
【補正対象書類名】明細書
【補正対象項目名】０００６
【補正方法】変更
【補正の内容】
【０００６】
本発明は、このような事情を鑑みてなされたものであり、複数のズームレンズ群をそれぞれ個別のアクチュエータによって駆動してズーム動作を行う構成において、小型化を可能にするとともにマクロ撮影が可能な光学機器を提供することを目的とする。
【手続補正５】
【補正対象書類名】明細書
【補正対象項目名】０００７
【補正方法】変更
【補正の内容】
【０００７】
上記目的を達成するため第１の発明に係わる光学機器は、光学的にズームを行うために光軸方向に移動可能な第１のレンズ群と第２のレンズ群を有する光学機器において、上記第１のレンズ群を第１のアクチュエータによって移動する第１の駆動部と、上記第１の駆動部の第１のアクチュエータと異なる第２のアクチュエータによって上記第２のレンズ群を移動する第２の駆動部と、上記光学機器のズーム動作を行う焦点距離領域範囲内に含まれる同一の焦点距離に対応する第１のレンズ群の位置と上記第２のレンズ群の位置に関する第１の位置情報と、所定の光学状態の撮影倍率よりも高い撮影倍率の光学状態を成立させ、上記焦点距離領域内に含まれる異なる焦点距離に対応する上記第１のレンズ群の位置と第２のレンズ群の位置に関する第２の位置情報を記憶する記憶部と、上記第１の位置情報に基づき上記第１のレンズ群と第２のレンズ群の位置を同一の焦点距離に対応する位置に位置させた光学状態から上記第２位置情報に基づくより高い撮影倍率の光学状態とする場合に、上記第２の位置情報に基づいて上記第１のレンズ群と第２のレンズ群をそれぞれ異なる焦点距離に対応する位置へ移動するように上記第１の駆動部と上記第２の駆動部を制御する制御部と、を具備する。
【手続補正６】
【補正対象書類名】明細書
【補正対象項目名】０００８
【補正方法】変更
【補正の内容】
【０００８】
第２の発明に係わる光学機器は、上記第１の発明において、上記第２の位置情報に含まれる上記第１のレンズ群の位置と第２のレンズ群の位置に上記第１のレンズ群と第２のレンズ群を位置させることにより成立する光学状態の焦点距離は、上記第１の位置情報に含まれる所定の第１のレンズ群の位置と第２のレンズ群の位置に上記第１のレンズ群と第２のレンズ群を位置させることにより成立する光学状態の焦点距離と略同一である。
第３の発明に係わる光学機器は、上記第１の発明において、さらに、焦点調節レンズ群を有し、上記制御部は、上記第１の位置情報に基づく光学状態から上記第２位置情報に基づく撮影倍率がより高い光学状態とする場合に、上記焦点調節レンズ群を、上記より撮影倍率が高い光学状態にて焦点調整可能な距離の範囲に含まれる距離に対応する位置に制御する。
第４の発明に係わる光学機器は、上記第１の発明において、上記第２の位置情報は、複数の異なる撮影倍率の光学状態に対応する第１のレンズ群の位置と第２のレンズ群の位置に関する複数の情報を含んでいる。
第５の発明に係わる光学機器は、上記第１の発明において、さらに上記複数の異なる撮影倍率の光学状態から特定の光学状態を選択する選択部を有し、上記制御部は、上記選択部の選択する光学状態に応じて、第２の位置情報に基づき上記第１のレンズ駆動部と第２のレンズ駆動部を制御し、選択された光学状態に対応する第１のレンズ群の位置と第２のレンズ群の位置を制御する。
【手続補正７】
【補正対象書類名】明細書
【補正対象項目名】０００９
【補正方法】変更
【補正の内容】
【０００９】
第６の発明に係わる光学機器は、光学的にズームを行うために光軸方向に移動可能な第１のレンズ群と第２のレンズ群を有する光学機器において、上記第１のレンズ群を第１のアクチュエータによって移動する第１の駆動部と、上記第１の駆動部の第１のアクチュエータと異なる第２のアクチュエータによって上記第２のレンズ群を移動する第２の駆動部と、上記光学機器のズーム動作を行う焦点距離領域範囲内に含まれる同一の焦点距離に対応する第１のレンズ群の位置と上記第２のレンズ群の位置に関する第１の位置情報と、上記第１の位置情報に含まれる上記第１のレンズ群の位置と第２のレンズ群の位置に上記第１のレンズ群と第２のレンズ群を位置させることにより成立する所定の光学状態の焦点距離と略同一であって、上記所定の光学状態の焦点調節可能な距離よりもより近距離までの焦点調節可能な光学状態を成立させ、上記焦点距離領域内に含まれる異なる焦点距離に対応する上記第１のレンズ群の位置と第２のレンズ群の位置に関する第２の位置情報を記憶する記憶部と、上記第１の位置情報に基づき上記第１のレンズ群と第２のレンズ群の位置を同一の焦点距離に対応する位置に位置させた光学状態から上記第２位置情報に基づくより近距離まで焦点調節可能な光学状態とする場合に、上記第２の位置情報に基づいて上記第１のレンズ群と第２のレンズ群をそれぞれ異なる焦点距離に対応する位置へ移動するように上記第１の駆動部と上記第２の駆動部を制御する制御部と、を具備する。
【手続補正８】
【補正対象書類名】明細書
【補正対象項目名】００１０
【補正方法】変更
【補正の内容】
【００１０】
第７の発明に係わる光学機器は、上記第６の発明において、さらに、焦点調節レンズ群を有し、上記制御部は、上記第１の位置情報に基づく光学状態から上記第２位置情報に基づくより近距離まで焦点調節が可能な光学状態とする場合に、上記焦点調節レンズ群を、上記より近距離まで焦点調節が可能な光学状態にて焦点調整可能な距離の範囲に含まれる距離に対応する位置に制御する。
第８の発明に係わる光学機器は、上記第６の発明において、上記第２の位置情報は、複数の異なる撮影倍率の光学状態に対応する第１のレンズ群の位置と第２のレンズ群の位置に関する複数の情報を含んでいる。
第９の発明に係わる光学機器は、上記第８の発明において、さらに上記複数の異なる撮影倍率の光学状態から特定の光学状態を選択する選択部を有し、上記制御部は、上記選択部の選択する光学状態に応じて、第２の位置情報に基づき上記第１のレンズ駆動部と第２のレンズ駆動部を制御し、選択された光学状態に対応する第１のレンズ群の位置と第２のレンズ群の位置を制御する。
【手続補正９】
【補正対象書類名】明細書
【補正対象項目名】００１１
【補正方法】変更
【補正の内容】
【００１１】
第１０の発明に係わる光学機器は、光学的にズームを行うために光軸方向に移動可能な第１のレンズ群と第２のレンズ群を有する光学機器において、上記第１のレンズ群を第１のアクチュエータによって移動する第１の駆動部と、上記第１の駆動部の第１のアクチュエータと異なる第２のアクチュエータによって上記第２のレンズ群を移動する第２の駆動部と、上記光学機器のズーム動作を行う焦点距離領域範囲内に含まれる同一の焦点距離に対応する第１のレンズ群の位置と上記第２のレンズ群の位置に関する第１の位置情報と、上記第１の位置情報に含まれる上記第１のレンズ群の位置と第２のレンズ群の位置に上記第１のレンズ群と第２のレンズ群を位置させることにより成立する所定の光学状態の焦点距離と略同一であって、上記所定の光学状態の撮影倍率よりも高い撮影倍率の光学状態を成立させ、上記焦点距離領域内に含まれるそれぞれ異なる焦点距離に対応する上記第１のレンズ群の位置と第２のレンズ群の位置に関する第２の位置情報を記憶する記憶部と、上記第２の位置情報に基づく撮影倍率がより高い光学状態から、上記第１の位置情報に基づく光学状態とする場合に、第１の位置情報に基づいて上記より撮影倍率の大きな光学状態と同一の画角を成す同一の焦点距離に対応する位置へ上記第１のレンズ群と第２のレンズ群を移動するように上記第１の駆動部と上記第２の駆動部を制御する制御部と、を具備する。
第１１の発明に係わる光学機器は、上記第１０の発明において、さらに、焦点調節レンズ群を有し、上記制御部は、上記第１の位置情報に基づく光学状態から上記第２位置情報に基づく撮影倍率がより高い光学状態とする場合に、上記焦点調節レンズ群を、上記より撮影倍率が高い光学状態にて焦点調整可能な距離の範囲に含まれる距離に対応する位置に制御する。
【手続補正１０】
【補正対象書類名】明細書
【補正対象項目名】００１２
【補正方法】変更
【補正の内容】
【００１２】
第１２の発明に係わる光学機器は、光学的にズームを行うために光軸方向に移動可能な第１のレンズ群と第２のレンズ群を有する光学機器において、上記第１のレンズ群を第１のアクチュエータによって移動する第１の駆動部と、上記第１の駆動部の第１のアクチュエータと異なる第２のアクチュエータによって上記第２のレンズ群を移動する第２の駆動部と、上記光学機器のズーム動作を行う焦点距離領域範囲内に含まれる同一の焦点距離に対応する第１のレンズ群の位置と上記第２のレンズ群の位置に関する第１の位置情報と、上記第１の位置情報に含まれる上記第１のレンズ群の位置と第２のレンズ群の位置に上記第１のレンズ群と第２のレンズ群を位置させることにより成立する所定の光学状態の焦点距離と略同一であって、上記所定の光学状態の焦点調節可能な距離よりもより近距離までの焦点調節可能な光学状態を成立させ、上記焦点距離領域内に含まれる異なる焦点距離に対応する上記第１のレンズ群の位置と第２のレンズ群の位置に関する第２の位置情報を記憶する記憶部と、上記第２の位置情報に基づく焦点調節可能な距離がより近距離である光学状態から、上記第１の位置情報に基づく光学状態とする場合に、上記第１の位置情報に基づいて上記焦点調節可能な距離がより近距離である光学状態と同一の画角を成す上記焦点距離範囲内の同一の焦点距離に対応する位置へ上記第１のレンズ群と第２のレンズ群を移動するように上記第１の駆動部と上記第２の駆動部を制御する制御部と、を具備する。
【手続補正１１】
【補正対象書類名】明細書
【補正対象項目名】００１３
【補正方法】変更
【補正の内容】
【００１３】
第１３の発明に係わる光学機器は、上記第１２の発明において、さらに、焦点調節レンズ群を有し、上記制御部は、上記第２の位置情報に基づくより近距離まで焦点調節可能な光学状態から上記第１位置情報に基づく光学状態とする場合に、上記焦点調節レンズ群を、上記焦点調節可能な距離がより近い光学状態における焦点調整可能な距離の範囲に含まれる距離に対応する位置に制御する。
【手続補正１２】
【補正対象書類名】明細書
【補正対象項目名】００１４
【補正方法】変更
【補正の内容】
【００１４】
本発明によれば、複数のズームレンズ群をそれぞれ個別のアクチュエータによって駆動してズーム動作を行う構成において、小型化を可能にするとともにマクロ撮影を可能とした光学機器を提供することができる。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】